(57)【要約】【課題】簡易な構成で高精度にランプフリッカーの発生を検出し、それを抑制する制御を行う。【解決手段】光センサ１７は、位置（I）〜（V）のいずれかに配置可能である。位置（I）〜（III）の場合、ランプ光のレベルを検出し、その光レベルに応じた電圧レベルを出力する。その電圧レベルが大きく変動していた場合、ランプ１１のランプフリッカーが発生しているものと判断する。また位置（IV）〜（V）の場合は、ＤＭＤ１５によって反射されたランプ光の輝度変化を光センサ１７で検出し、光センサ１７によって出力された電圧変動とＤＬＰプロジェクタに入力された信号変動とを比較し、変動レベルが異なる場合や変動が同期していない場合にランプフリッカーが発生しているものと判断する。そしてランプフリッカーが発生したとき、ランプ電流を制御してさらにランプ１１の電極を温めることにより、ランプフリッカーを抑制する。【選択図】図１
2006220679.tif 000002
【特許請求の範囲】
【請求項１】
光源となるランプと、該ランプから出射した光を映像信号に従って変調する映像変換部と、該映像変換部で変調された光を投射する投射レンズを備えてなるプロジェクタに適用し、前記ランプのフリッカーを検出するフリッカー検出システムにおいて、該フリッカー検出システムは、該プロジェクタにおいて映像光として使用しない漏れ光を検出するために所定の位置に設置した光センサと、該光センサの出力に基づいて前記ランプのフリッカーの有無を判断するフリッカー判断部とを有することを特徴とするフリッカー検出システム。
【請求項２】
請求項１に記載のフリッカー検出システムにおいて、前記光センサは、前記ランプと前記映像変換部との間で発生する漏れ光を検出する位置に配置されていることを特徴とするフリッカー検出システム。
【請求項３】
請求項１に記載のフリッカー検出システムにおいて、前記光センサは、前記映像変換部の後で発生する漏れ光を検出する位置に配置されていることを特徴とするフリッカー検出システム。
【請求項４】
請求項１ないし３のいずれか１に記載のフリッカー検出システムにおいて、前記プロジェクタは、前記映像変換部としてＤＭＤ（デジタル・マイクロミラー・デバイス）を備えるとともに、前記ランプから出射した光を色分離する回転型カラーホイールと、該回転型カラーホイールからの光を平行光として出射させるロッドレンズを備え、該ロッドレンズから出射した光を前記ＤＭＤに入射させ、該ＤＭＤで生成された投射画像光を前記投射レンズにて投射するＤＬＰプロジェクタであることを特徴とするフリッカー検出システム。
【請求項５】
請求項４に記載のフリッカー検出システムにおいて、前記光センサは、前記ランプから出射した光のうち、前記回転型カラーホイールに入射しなかった漏れ光を検出する位置に配置されていることを特徴とするフリッカー検出システム。
【請求項６】
請求項４に記載のフリッカー検出システムにおいて、前記光センサは、前記ランプから出射して前記回転型カラーホイールを透過した光のうち、前記ロッドレンズに入射しなかった漏れ光を検出する位置に配置されていることを特徴とするフリッカー検出システム。
【請求項７】
請求項４に記載のフリッカー検出システムにおいて、前記光センサは、前記ランプから出射して前記ロッドレンズを透過した光のうち、前記ＤＭＤに入射しなかった漏れ光を検出する位置に配置されていることを特徴とするフリッカー検出システム。
【請求項８】
請求項４に記載のフリッカー検出システムにおいて、前記光センサは、前記ＤＭＤのマイクロミラーがＯＮ状態で反射された反射光のうち、前記投射レンズに入射しなかった漏れ光を検出する位置に配置されていることを特徴とするフリッカー検出システム。
【請求項９】
請求項４に記載のフリッカー検出システムにおいて、前記光センサは、前記ＤＭＤのマイクロミラーがＯＦＦ状態で反射された反射光を検出する位置に配置されていることを特徴とするフリッカー検出システム。
【請求項１０】
請求項８または９に記載のフリッカー検出システムにおいて、前記フリッカー判断部は、前記光センサの出力変動と、前記プロジェクタに入力された映像信号の信号変動とを比較し、該映像信号の信号変動より前記光センサの出力変動の方が変動レベルが大きいときにランプのフリッカーが発生しているものと判断することを特徴とするフリッカー検出システム。
【請求項１１】
請求項８または９に記載のフリッカー検出システムにおいて、前記フリッカー判断部は、前記光センサの出力変動と、前記プロジェクタに入力された映像信号の信号変動とを比較し、該映像信号の信号変動と前記光センサの出力変動との位相が異なるときにランプのフリッカーが発生しているものと判断することを特徴とするフリッカー検出システム。
【請求項１２】
請求項１ないし１１のいずれか１に記載のフリッカー検出システムを備えたランプ制御システムであって、該ランプ制御システムは、前記ランプの発光を制御するランプ制御部を有し、該ランプ制御部は、前記ランプフリッカー検出システムによるランプフリッカーの判断結果に従って、ランプフリッカーが発生したときに、パルスになっているランプ電流のＨｉ部分の波高値のレベルを一時的に高くすることにより、ランプフリッカーを抑制することを特徴とするランプ制御システム。
【請求項１３】
請求項１ないし１１のいずれか１に記載のフリッカー検出システムを備えたランプ制御システムであって、該ランプ制御システムは、前記ランプの発光を制御するランプ制御部を有し、該ランプ制御部は、前記ランプフリッカー検出システムによるランプフリッカーの判断結果に従って、ランプフリッカーが発生したときに、パルスになっているランプ電流のＨｉ部分の時間を短くし、かつ該Ｈｉ部分の波高を高くすることにより、ランプフリッカーを抑制することを特徴とするランプ制御システム。
【請求項１４】
請求項１２または１３に記載のランプ制御システムを備えてなることを特徴とするＤＬＰプロジェクタ。
【発明の詳細な説明】
【技術分野】
【０００１】
本発明は、フリッカー検出システム、ランプ制御システム、及び該システムを有するＤＬＰプロジェクタに関し、より具体的には、画像を投射するプロジェクタにおける光源ランプのフリッカーを検出するシステムと、そのシステムの検出結果に応じて光源ランプのフリッカーを抑制するランプ制御システムと、そのランプ制御システムを備えたＤＬＰプロジェクタに関する。
【背景技術】
【０００２】
従来、光源としてランプを使用したプロジェクタでは、ランプの点灯性の問題からランプ光の輝度が変化し、プロジェクタ投影画面の輝度が変化するランプフリッカーの問題を抱えている。このような問題は、ＤＭＤによって生成した画像を投射するＤＬＰプロジェクにおいても例外ではない。
そこでＤＬＰプロジェクタでは、電流を投影映像の垂直周波数に同期したパルスとしてランプ電流にＨｉ期間の電流を作ることにより、ランプ電極を温めてランプフリッカーを抑制している。
【０００３】
上記のようなランプの輝度変化に起因するフリッカーを改善するための技術として、例えば、特許文献１には、投影画像またはこれを電子化して得られる電子画像の輝度変動を防止し得る光源装置、画像投影装置、及び画像投影変換装置が開示されている。
ここでは、発光ランプの発光量を検知する光センサを設け、この光センサからの光量検知信号に応じて電源から発光ランプへの供給電流を調整して発光ランプの発光量を一定化している。そしてこの構成によって映画フィルムへの投射光量が一定化され、撮影部によって得られる画像はフリッカーの少ない良好な画像となる。
【特許文献１】特開平１１−２５８６９３号公報
【発明の開示】
【発明が解決しようとする課題】
【０００４】
ＤＬＰプロジェクタでは、公知技術によってランプフリッカーを抑制しているが、現状ではランプフリッカーを無くすまでには至っていない。またランプフリッカーを検出するためのシステムを持ち合わせていないため、ランプフリッカーが発生してもシステム上でさらに抑制改善することはできない。
【０００５】
また上記特許文献１の発明では、ランプ光の時間的なエネルギーを算出し、ある一定期間毎にランプ電源のエネルギーを調整し、ランプフリッカーを抑制している。従ってランプ電源の発光量の瞬時の変動には精度良く対応できない、という問題がある。さらに特許文献１の発明では、ランプ光のエネルギーそのものを基準として、ランプの発光量を制御している。そのため、画像信号及び映像信号に変換されたランプ光は、エネルギーが一定でなく、画像信号及び映像信号に同期した変動を有するため、光センサの設置位置がランプ近傍に限定されてしまう、という問題も生じる。
【０００６】
本発明は、上述のごとき実情に鑑みてなされたもので、プロジェクタにおいてランプフリッカーが発生したときに、簡易な構成で高精度にそのランプフリッカーの発生を検出することができるフリッカー検出システムを提供することを目的とする。
さらに本発明は、上記フリッカー検出システムの検出結果を用いることにより、ランプフリッカーが発生したタイミングにて、ランプフリッカーを抑制することができ、これによって、フリッカーが生じることなく均一にランプを発光させることができるランプ制御システムを提供することを目的とする。
さらに本発明は、上記ランプ制御システムを備えることにより、フリッカーのない高画質な画像投射を可能とするＤＬＰプロジェクタを提供することを目的とする。
【課題を解決するための手段】
【０００７】
上記課題を解決するために、第１の技術手段は、光源となるランプと、該ランプから出射した光を映像信号に従って変調する映像変換部と、映像変換部で変調された光を投射する投射レンズを備えてなるプロジェクタに適用し、ランプのフリッカーを検出するフリッカー検出システムにおいて、フリッカー検出システムは、プロジェクタにおいて映像光として使用しない漏れ光を検出するために所定の位置に設置した光センサと、光センサの出力に基づいてランプのフリッカーの有無を判断するフリッカー判断部とを有することを特徴としたものである。
【０００８】
第２の技術手段は、第１の技術手段において、上記光センサが、ランプと映像変換部との間で発生する漏れ光を検出する位置に配置されていることを特徴としたものである。
【０００９】
第３の技術手段は、第１の技術手段において、上記光センサが、映像変換部の後で発生する漏れ光を検出する位置に配置されていることを特徴としたものである。
【００１０】
第４の技術手段は、第１ないし第３のいずれか１の技術手段において、プロジェクタが、上記映像変換部として、光を反射するマイクロミラーによって投射画像光を生成するＤＭＤ（デジタル・マイクロミラー・デバイス）を備えるとともに、ランプから出射した光を色分離する回転型カラーホイールと、回転型カラーホイールからの光を平行光として出射させるロッドレンズを備え、ロッドレンズから出射した光をＤＭＤに入射させ、ＤＭＤで生成された投射画像光を投射レンズにて投射するＤＬＰプロジェクタであることを特徴としたものである。
【００１１】
第５の技術手段は、第４の技術手段において、上記光センサが、ランプから出射した光のうち、回転型カラーホイールに入射しなかった漏れ光を検出する位置に配置されていることを特徴としたものである。
【００１２】
第６の技術手段は、第４の技術手段において、上記光センサが、ランプから出射して回転型カラーホイールを透過した光のうち、ロッドレンズに入射しなかった漏れ光を検出する位置に配置されていることを特徴としたものである。
【００１３】
第７の技術手段は、第４の技術手段において、上記光センサが、ランプから出射してロッドレンズを透過した光のうち、ＤＭＤに入射しなかった漏れ光を検出する位置に配置されていることを特徴としたものである。
【００１４】
第８の技術手段は、第４の技術手段において、上記光センサが、ＤＭＤのマイクロミラーがＯＮ状態で反射された反射光のうち、投射レンズに入射しなかった漏れ光を検出する位置に配置されていることを特徴としたものである。
【００１５】
第９の技術手段は、第４の技術手段において、上記光センサが、ＤＭＤのマイクロミラーがＯＦＦ状態で反射された反射光を検出する位置に配置されていることを特徴としたものである。
【００１６】
第１０の技術手段は、第８または第９の技術手段において、フリッカー判断部は、光センサの出力変動と、プロジェクタに入力された映像信号の信号変動とを比較し、映像信号の信号変動より光センサの出力変動の方が変動レベルが大きいときにランプのフリッカーが発生しているものと判断することを特徴としたものである。
【００１７】
第１１の技術手段は、第８または第９の技術手段において、フリッカー判断部が、光センサの出力変動と、プロジェクタに入力された映像信号の信号変動とを比較し、映像信号の信号変動と光センサの出力変動との位相が異なるときにランプのフリッカーが発生しているものと判断することを特徴としたものである。
【００１８】
第１２の技術手段は、第１ないし第１１のいずれか１の技術手段におけるフリッカー検出システムを備えたランプ制御システムであって、ランプ制御システムが、ランプの発光を制御するランプ制御部を有し、ランプ制御部は、ランプフリッカー検出システムによるランプフリッカーの判断結果に従って、ランプフリッカーが発生したときに、パルスになっているランプ電流のＨｉ部分の波高値のレベルを一時的に高くすることにより、ランプフリッカーを抑制することを特徴としたものである。
【００１９】
第１３の技術手段は、第１ないし第１１のいずれか１の技術手段におけるフリッカー検出システムを備えたランプ制御システムであって、ランプ制御システムが、ランプの発光を制御するランプ制御部を有し、ランプ制御部は、ランプフリッカー検出システムによるランプフリッカーの判断結果に従って、ランプフリッカーが発生したときに、パルスになっているランプ電流のＨｉ部分の時間を短くし、かつＨｉ部分の波高を高くすることにより、ランプフリッカーを抑制することを特徴としたものである。
【００２０】
第１４の技術手段は、第１２または第１３の技術手段におけるランプ制御システムを備えてなることを特徴とするＤＬＰプロジェクタである。
【発明の効果】
【００２１】
本発明によれば、ランプによる光源光を変調した画像を投射するプロジェクタにおいて、ランプフリッカーが発生したときに、高精度にそのランプフリッカーの発生を検出することができるフリッカー検出システムを提供することができる。
さらに本発明によれば、フリッカー検出システムの検出結果を用いることにより、ランプフリッカーが発生したタイミングにてランプフリッカーを抑制することができ、これによって、フリッカーが生じることなく均質にランプを発光させることができるランプ制御システムを提供することができる。
さらに本発明によれば、上記ランプ制御システムを備えることにより、フリッカーのない高画質な画像投射を可能とするＤＬＰプロジェクタを提供することができる。
【００２２】
特に本発明によれば、ランプの発光量の瞬時の変動を検出することによって、ランプの制御信号を変化させてランプフリッカーを抑制するため、迅速かつ高精度にランプフリッカーを抑制することができる。
さらに本発明によれば、光センサの設置位置がランプ近傍に限定されることなく、ランプ光を検出できる位置であればフリッカー検出及びフリッカー抑制制御を実行できるため、光センサの配置の自由度が向上して構成を簡単にすることができる。
【発明を実施するための最良の形態】
【００２３】
本発明は、光源となるランプと、そのランプから出射した光を映像信号に従って変調する映像変換部と、この映像変換部で変調された光を投射する投射レンズを備えてなるプロジェクタに適用できる。例えば、映像変換部としてＤＭＤを使用したＤＬＰプロジェクタや、ＬＣＤを使用したＬＣＤ型プロジェクタに適用することができる。以下の実施形態では、ＤＬＰプロジェクタを例として説明するが、本発明はこれに限定されるものではない。
【００２４】
プロジェクタにおいて、光源となるランプ光の輝度変化によりランプフリッカーが生じる。そこで、本発明では、そのランプ光の輝度変化を検出する光センサを使用する。光センサは、光のレベルを検出し、その光レベルに応じた電圧レベルを出力する。その電圧レベルが大きく変動していた場合、ランプフリッカーが発生しているものと判断する。
【００２５】
ＤＬＰプロジェクタの投影画面は、ＤＭＤによって反射されたランプ光であり、このランプ光は入力信号の信号変動によって輝度変化が発生する。そこでＤＭＤによって反射されたランプ光の輝度変化を光センサで検出し、光センサによって出力された電圧変動とＤＬＰプロジェクタに入力された信号変動とを比較し、変動レベルが異なる場合や変動が同期していない場合（両者の位相が異なる場合）にランプフリッカーが発生しているものと判断する。
【００２６】
またランプフリッカーを抑制するためには、ランプの電極を急激に温めることが効果的である。そこで、上記のランプフリッカー検出システムを利用し、ランプフリッカーが発生したとき、ランプ電流を制御してさらにランプの電極を温めることにより、ランプフリッカーを抑制する。
【００２７】
本発明の実施の形態をさらに添付された図面を参照しながら具体的に説明する。
図１は、ＤＬＰプロジェクタの構成と、ランプフリッカー検出システムに使用する光センサの設置位置とを説明するための図である。図１において、１１はランプ、１２は回転型カラーホイール、１３はロッドレンズ、１４はミラー、１５はＤＭＤ、１６は投射レンズ、１７は光センサで、光センサ１７は、（I）〜（V）のいずれかの位置に設定されるものとする。
【００２８】
本発明に関わるフリッカー検出システムの光センサは、ランプ１１と映像変換部（すなわちＤＭＤ１５）との間で発生する漏れ光を検出する位置、または映像変換部の後で発生する漏れ光を検出する位置に配置することができる。
ここでは図１のように、光センサ１７は、
（I）ランプ１１から出射した光のうち、回転型カラーホイール１２に入射しなかった漏れ光を検出できる位置、
（II）回転型カラーホイール１２から出射した光のうち、ロッドレンズ１３に入射しなかった漏れ光を検出できる位置、
（III）ロッドレンズ１３から出射した光のうち、ＤＭＤ１５に入射しなかった漏れ光を検出できる位置、
（IV）ＤＭＤ１５がオン状態で反射された反射光のうち、投射レンズ１６に入射しなかった漏れ光を検出できる位置、
（V）ＤＭＤ１５がオフ状態で反射された反射光を検出できる位置、
のいずれかに配置することができる。
【００２９】
図２は、光センサ１７の出力電圧の一例を示す図で、ランプフリッカーが発生していないときの光センサの出力を図２（Ａ）に、ランプフリッカーが発生しているときの光センサの出力を図２（Ｂ）に示すものである。
図２の波形は、図１の光センサ１７が、位置（I）,（II）,（III）のいずれかの位置にあるときの出力波形を示している。
【００３０】
本実施形態のフリッカー検出システムは、光センサ１７の出力に基づいてランプ１１のフリッカーの有無を検出するフリッカー判断部を備えている。
この場合、図２（Ａ）に示すように、ランプフリッカーが発生していないときの光センサの出力電圧は一定であるが、図２（Ｂ）に示すように、ランプフリッカーが発生しているときは光センサ１７の出力が変動し、これによってランプフリッカーが発生しているものと判断することができる。
【００３１】
図３は、光センサ１７の出力電圧の他の例を示す図で、ランプフリッカーが発生していないときの光センサの出力を図３（Ａ）に、ランプフリッカーが発生しているときの光センサの出力を図３（Ｂ）に示すものである。図３の波形は、図１の光センサ１７が、位置（IV），（V）のいずれかの位置にあるときの出力波形を示している。
【００３２】
このとき、映像信号が入力してＤＭＤ１５が動作している場合、光センサの出力は、その映像信号に同期した変動が発生する。すなわち、フリッカーが発生してないときの光センサ１７の出力は、図３（Ａ）に示すように映像信号波形に同期した形態となり、またフリッカーが発生しているときの光センサ１７の出力は、図３（Ｂ）に示すように、その変動レベルが映像信号波形の変動レベルより大きくなっている。
すなわち、ＤＭＤ１５の後の光路上に光センサ１７が配置されているときは、光センサの出力波形の変動レベルが、映像信号波形の変動レベルに比較して大きくなっているときに、フリッカーが発生しているものと判断することができる。
【００３３】
図４は、光センサ１７の出力電圧の更に他の例を示す図で、ランプフリッカーが発生していないときの光センサの出力を図４（Ａ）に、ランプフリッカーが発生しているときの光センサの出力を図４（Ｂ）に示すものである。図４の波形は、図１の光センサ１７が、位置（IV），（V）のいずれかの位置にあるときの出力波形を示している。
【００３４】
このとき、映像信号が入力してＤＭＤ１５が動作している場合、光センサ１７の出力には、その映像信号に同期した変動が発生する。すなわち、フリッカーが発生してないときの光センサ１７の出力は、図４（Ａ）に示すように映像信号波形に同期した形態となり、またフリッカーが発生しているときの光センサ１７の出力は、図４（Ｂ）に示すように、光センサの出力波形の位相と、映像信号の位相とが異なってくる。
すなわち、ＤＭＤ１５の後の光路上に光センサ１７が配置されているときは、光センサの出力波形の位相が、映像信号波形の位相と異なっているときに、フリッカーが発生しているものと判断することができる。
【００３５】
ランプフリッカー検出システムに使用する光センサの設置位置に関し、図１に示す位置（I）〜（V）のなかで最も検出効果の高い光センサ１７の設置位置は、外来光などによるノイズの影響度が小さく、かつ光センサ１７の出力が大きく得られる位置、つまり位置（I）及び（II）のようなランプ１１の近傍である。ランプ１１の近傍はランプ光量が多いため、外来光などによるノイズの影響度が小さく、光センサ１７の出力も大きくなる。またランプ光の発光面積はロッドレンズ１３の入射面積より広くランプ漏れ光も多いため、ランプ近傍であれば光センサの設置位置は他の設置位置と比べ大きく制限されることはない。
【００３６】
勿論、本発明の実施形態においては、上記設置位置（I）〜（V）のいずれにおいても有効にランプフリッカーを検出することができ、前述の特許文献１の発明のようにランプ光のエネルギーそのものを基準としてランプの発光量を制御するものではないため、光センサの設置位置がランプ近傍に限定されてしまう、という問題は生じない。
【００３７】
次に上記のようなランプフリッカー検出システムによってランプフリッカーを検出したときに、ランプフリッカーを抑制するように制御するランプ制御システムの実施形態を説明する。
図５は、ランプ電流の制御の一例を説明するための図で、ランプフリッカーが発生していないときのランプ電流波形を図５（Ａ）に、ランプフリッカーが発生しているときのランプ電流波形を図５（Ｂ）に示すものである。
ランプフリッカーが発生していないときのランプ電流波形は、例えば図５（Ａ）に示すような波形となっている。そしてランプ制御システムでは、上述のランプフリッカー検出システムによってランプフリッカーが発生しているものと判断したとき、図５（Ｂ）に示すように、パルス状になったランプ電流のＨｉ部分の波高値のレベルを一時的に上げる。これによりランプ電極を温めてランプフリッカーをさらに抑制することができる。そしてランプフリッカーが抑制されたものと判断されれば、ランプ電流の波高値のレベルを図５（Ａ）のような元のレベルに戻す。
【００３８】
図６は、ランプ電流の制御の他の例を説明するための図で、ランプフリッカーが発生していないときのランプ電流波形を図６（Ａ）に、ランプフリッカーが発生しているときのランプ電流波形を図６（Ｂ）に示すものである。
ランプフリッカーが発生していないときのランプ電流波形は、例えば図６（Ａ）に示すような波形となっている（図５（Ａ）と同様）。そしてランプ制御システムでは、上述のランプフリッカー検出システムによってランプフリッカーが発生しているものと判断したとき、図６（Ｂ）に示すように、パルス状になったランプ電流のＨｉ部分の時間を短くし、かつ波高値のレベルを一時的に上げる。これによりランプ電極を温めてランプフリッカーをさらに抑制することができる。そしてランプフリッカーが抑制されたものと判断されれば、ランプ電流の波高値のレベルを図６（Ａ）のような元のレベルに戻す。
【００３９】
図７は、上記のような本発明に関わるランプフリッカー検出システム及びランプ制御システムの構成例を説明するための図である。
ランプ１１から発光された光（ランプ光）は、画像・映像変換部２５を照射し、画像・映像信号に変換されたランプ光が出力される。画像・映像信号に変換されたランプ光は、上記のようなＤＬＰプロジェクタの投射画像として使用される。すなわち、画像・映像変換部２５は、本発明の映像変換部に該当し、図１の実施形態ではＤＭＤ１５に該当する。
【００４０】
光センサ１７は、ランプ１１と画像・映像変換部２５との間でランプ１１からの光の漏れ光を検出する位置（I）〜（III）と、画像・映像変換部２５を出射した光の漏れ光を検出する位置（IV）〜（V）とのいずれかに配置することができる。これら位置（I）〜（V）は、図１の光センサ１７の設置位置に対応する。
【００４１】
光センサ（（I）〜（III））１７で検出されたランプ光の検出情報は、制御信号生成部２１に出力される。ここでは、ランプ光の変動情報が検出され、制御信号生成部２１がその情報を受け取る。そして、制御信号生成部２１は、ランプ光の変動情報に基づいて、ランプフリッカーの発生の有無を判別し、ランプフリッカーが発生していてランプ制御が必要と判断した場合はランプ制御信号を生成し、ランプ制御部２２に出力する。ここで制御信号生成部２１は、例えば図２（Ｂ）に示すように、光センサ１７の出力が変動しているときにランプフリッカーが発生しているものと判断することができる。
【００４２】
そしてランプ制御部２２は、制御信号生成部２１から出力されたランプ制御信号に従ってランプを制御する。ランプの制御としては、例えば、上記図５に示すようなパルス状になったランプ電流のＨｉ部分の波高値のレベルを一時的に上げる制御や、図６に示すようなパルス状になったランプ電流のＨｉ部分の時間を短くし、かつ波高値のレベルを一時的に上げる制御が適用できる。
【００４３】
一方、画像・映像変換部２５を出射した光の漏れ光を検出する位置（IV）〜（V）に光センサ１７を配置する場合は、光センサ１７の検出情報は、映像・画像信号とランプ信号の強度・位相を比較する強度・位相比較部２６に出力される。ここでは、光センサ１７により、画像・映像信号に変換されたランプ光の強度・位相変動情報が検出され、強度・位相比較部２６がその情報を受け取る。
また、画像・映像信号入力部２４は、画像・映像変換部２５でランプ光を変調するための映像信号を画像・映像変換部２５に出力する。
【００４４】
そして強度・位相比較部２６は、画像・映像信号入力部２４から、画像・映像変換部２５でランプ光を変調するための映像信号を受け取って、光センサ１７から出力されたランプ光の強度・位相変動情報と比較し、ランプフリッカーが発生していてランプ制御が必要と判断した場合は、ランプ制御信号をランプ制御部２２に出力する。ランプ制御部２２は、そのランプ制御信号に従ってランプを制御する。
強度・位相比較部２６では、例えば、図３（Ｂ）に示すように、光センサ出力の変動レベルが映像信号波形の変動レベルより大きくなっている場合や、図４（Ｂ）に示すように、光センサの出力波形の位相が映像信号波形の位相と異なっている場合に、ランプのフリッカーが発生しているものと判断することができる。
【００４５】
上記図７の構成において、本発明のフリッカー検出システムは、光センサ１７、制御信号生成部２１、及び強度・位相比較部２６が該当する。
また、本発明のランプ制御システムは、上記フリッカー検出システムを含み、さらに図７のランプ制御部２２を含んだ構成が該当する。また本発明のフリッカー判断部は、制御信号生成部２１及び強度・位相比較部２６が該当する。
【図面の簡単な説明】
【００４６】
【図１】ＤＬＰプロジェクタの構成と、ランプフリッカー検出システムに使用する光センサの設置位置とを説明するための図である。
【図２】光センサの出力電圧の一例を示す図である。
【図３】光センサの出力電圧の他の例を示す図ある。
【図４】光センサの出力電圧の更に他の例を示す図である。
【図５】ランプ電流の制御の一例を説明するための図である。
【図６】ランプ電流の制御の他の例を説明するための図である。
【図７】ランプフリッカー検出システム及びランプ制御システムの構成例を説明するための図である。
【符号の説明】
【００４７】
１１…ランプ、１２…回転型カラーホイール、１３…ロッドレンズ、１４…ミラー、１５…ＤＭＤ、１６…投射レンズ、１７…光センサ、２１…制御信号生成部、２２…ランプ制御部、２３…ランプ電源、２４…画像・映像信号入力部、２５…画像・映像変換部、２６…強度・位相比較部。
【図１】
2006220679.tif 000003
【図２】
2006220679.tif 000004
【図３】
2006220679.tif 000005
【図４】
2006220679.tif 000006
【図５】
2006220679.tif 000007
【図６】
2006220679.tif 000008
【図７】
2006220679.tif 000009